(57)【要約】【課題】自動車のサンバイザに組み込まれる車載用マイクロホン装置であって、サンバイザの角度に関係なく指向性の方向を一定の方向に維持することができる車載用マイクロホン装置を提供する。【解決手段】車載用マイクロホン装置は、サンバイザ１の先端部に設けたマイク取り付け部６に指向性マイクロホン７を回動可能に取り付けると共に、その指向性マイクロホン７の正面８ａがサンバイザ１の角度に関係なく常に車室内話者に向くように指向性マイクロホン７には錘１４を設ける。【選択図】図２
2015140128.tif 000002
【特許請求の範囲】
【請求項１】
自動車のサンバイザに組み込まれる車載用マイクロホン装置であって、前記サンバイザの先端部に設けたマイク取り付け部に指向性マイクロホンを回動可能に取り付けると共に、その指向性マイクロホンの正面が前記サンバイザの角度に関係なく常に車室内話者に向くように前記指向性マイクロホンには錘を設けたことを特徴とする車載用マイクロホン装置。
【発明の詳細な説明】
【技術分野】
【０００１】
本発明は、自動車のサンバイザに組み込まれ、カーナビゲーション装置、自動車内での携帯電話やタブレット端末等のモバイル機器への音声入力に用いられる車載用マイクロホン装置に関するものである。
【背景技術】
【０００２】
従来、自動車のサンバイザに取り付ける支持具と、この支持具から延ばされたフレキシブルチューブと、このフレキシブルチューブの先端に取り付けられたマイクロホンケースと、このマイクロホンケースに内蔵された単一指向性マイクロホンからなる車載用マイクロホン装置が知られている（特許文献１）。
【先行技術文献】
【特許文献】
【０００３】
【特許文献１】特開平９−２９８７８５号公報
【発明の概要】
【発明が解決しようとする課題】
【０００４】
前述した従来の車載用マイクロホン装置では、サンバイザが動いたときに指向性の方向が意図した方向から外れてしまうが、フレキシブルチューブを曲げ操作することで指向性の方向を意図した方向に向けることができる。言い換えると、サンバイザを動かすたびに手動で指向性の方向を調整する必要がある、という問題がある。
【０００５】
本発明は、前述した問題に鑑みてなされたもので、自動車のサンバイザに組み込まれる車載用マイクロホン装置であって、サンバイザの角度に関係なく指向性の方向を一定の方向に維持することができる車載用マイクロホン装置を提供することを目的とする。
【課題を解決するための手段】
【０００６】
前述した課題を解決するための手段としての本発明の構成である車載用マイクロホン装置は、自動車のサンバイザに組み込まれる車載用マイクロホン装置であって、前記サンバイザの先端部に設けたマイク取り付け部に指向性マイクロホンを回動可能に取り付けると共に、その指向性マイクロホンの正面が前記サンバイザの角度に関係なく常に車室内話者に向くように前記指向性マイクロホンには錘を設けたことを特徴とする。
【発明の効果】
【０００７】
本発明によれば、サンバイザの先端部に設けたマイク取り付け部に指向性マイクロホンを回動可能に取り付けると共に、その指向性マイクロホンの正面が前記サンバイザの角度に関係なく常に車室内話者に向くように前記指向性マイクロホンには錘を設けたことにより、例えば、サンバイザの角度の変更に応じて指向性マイクロホンを回動させ、指向性マイクロホンの正面が常に車室内話者に向くように指向性マイクロホンの角度を調整するようなマイク角度調整機構等を用いることなく、簡単な構成で、サンバイザの角度に関係なく指向性の方向を一定の方向、即ち、車室内話者の方向に維持することができるサンバイザ組み込み型の車載用マイクロホン装置を提供することができる。
【図面の簡単な説明】
【０００８】
【図１】本発明の実施形態としての車載用マイクロホン装置が組み込まれたサンバイザを示す斜視図である。
【図２】図１に示す車載用マイクロホン装置の構成を示す側面図である。
【図３】図１に示す車載用マイクロホン装置の構成を示す正面図である。
【発明を実施するための形態】
【０００９】
以下、本発明の実施形態としての車載用マイクロホン装置を図面に基づいて説明する。
【００１０】
図１に示すように、本発明の実施形態としての車載用マイクロホン装置が組み込まれたサンバイザ１は、自動車の室内における運転席上部に設けられている。即ち、車室内天井２部分のうち、フロントガラス３の直上の右寄り（所謂、右ハンドル４のため）に位置して設けられている。このサンバイザ１は、普段天井２側に上げられ（実線状態）、太陽の光がまぶしい場合にフロントガラス３側に下げられ（二点破線状態）、太陽の光を遮り、運転者の視界を確保する。
【００１１】
また、このサンバイザ１は、図２に示すように、車室内天井２側に取り付けられ車体の右から左に向かって略水平に延びる軸５に回動可能に取り付けられ、この軸５を中心に天井２側への上げ方向とフロントガラス３側への下げ方向の２方向へ回動できるようになっている。
【００１２】
そして、このサンバイザ１に本発明の実施形態としての車載用マイクロホン装置が組み込まれている。即ち、図１乃至図３に示すように、サンバイザ１の先端側の中央部にマイク取り付け部６が設けられ、このマイク取り付け部６に指向性マイクイクロホン７を回動可能に取り付けると共に、その指向性マイクロホン７の正面がサンバイザ１の角度に関係なく常に車室内話者（運転者）に向くように指向性マイクロホン７には錘１４を設けている。
【００１３】
図２及び図３に示すように、マイク取り付け部６は、サンバイザ１の前面（フロントガラス３側面）１ａ、裏面１ｂ及び先端面１ｃの３面に開口した状態でサンバイザ１の先端側の中央部に設けられた切り欠きからなる。
【００１４】
指向性マイクイクロホン７は、図示しない振動板等の電気音響変換部品を箱型のマイクロホン筐体８内に収容してなるもので、そのマイクロホン筐体８の正面８ａに音孔（直接音用）９が設けられており、少なくともマイクロホン筐体８の正面８ａが向く前方への指向性７ａを有している。この指向性マイクイクロホン７には、マイクロホン筐体８の正面８ａが向く前方一方向への指向性７ａを有する単一指向性マイクイクロホン、マイクロホン筐体８の正面８ａが向く前方一方向への指向性７ａとその反対方向への２方向の指向性を有する双指向性マイクイクロホン、これら単一指向性や双指向性をビームフォーミングで形成したビームフォーミングマイクロホン等が用いられる。
【００１５】
この指向性マイクイクロホン７には、そのマイクロホン筐体８の左右両側面８ｂからそれぞれ直角に突出した状態で一対の回転軸１０が設けられている。この両回転軸１０は、１本の左右方向の水平な軸線上に配置されている。即ち、同軸上に配置されている。
【００１６】
一方、サンバイザ１側には、マイク取り付け部６の左右両側壁６ａに内端を開口した状態で一対の軸受け部１１が設けられている。この両軸受け部１１は、サンバイザ１の回動中心である軸５と平行な１本の左右方向の軸線上に配置されている。即ち、同軸上に配置されている。
【００１７】
そして、指向性マイクイクロホン７は、その両回転軸１０が両軸受け部１１にそれぞれ回転可能に軸受けされることにより、サンバイザ１のマイク取り付け部６に略水平な両回転軸１０を中心として回動可能に取り付けられている。
【００１８】
ここで、指向性マイクイクロホン７をより滑らかに回転させるため、回転軸１０は、ベアリング１２を介して軸受け部１１に軸受けされている。また、回転軸１０は、円筒軸からなり、指向性マイクイクロホン７の電源、グランド、信号用等のケーブル芯線１３が、回転軸１０を通してマイクロホン筐体８の内部から外部のサンバイザ１の中に引き出されている。
【００１９】
また、この指向性マイクイクロホン７には、そのマイクロホン筐体８の正面８ａがサンバイザ１の角度に関係なく常に車室内話者に向くように、具体的には運転者の頭部に向くように、即ち、車体後方に向くように、指向性マイクイクロホン７の重心位置を回転軸１０より下方に設定する錘１４が設けられている。
【００２０】
ここで、指向性マイクイクロホン７では、回転軸１０をマイクロホン筐体８の中心を通過する１本の左右方向の水平な軸線上に設け、一方、錘１４は、指向性マイクイクロホン７の重心位置をマイクロホン筐体８の中心位置から真下にずれた位置に設定するように、回転軸１０より低い位置にてマイクロホン筐体８に設け、サンバイザ１の角度に関係なくマイクロホン筐体８の正面８ａが常に略鉛直面内に位置し車室内話者に向くマイク取り付け姿勢を維持するようにしてある。さらに、このような指向性マイクイクロホン７のマイク取り付け姿勢の安定化のために、回転軸１０は、マイクロホン筐体８の中心を通過する１本の左右方向の水平な軸線から上方へ平行にずれた１本の左右方向の水平な軸線上に設け（図２及び図３）、錘１４との距離を稼いでいる。
【００２１】
指向性マイクイクロホン７を低重心に設定する錘１４は、図２及び図３に示すように、マイクロホン筐体８の内部に収容した状態で設ける以外に、マイクロホン筐体８の外部底面に貼着した状態で設けたり、樹脂製のマイクロホン筐体８の底壁の中に埋設した状態で設けることができる。その他マイクロホン筐体８の底壁自体を錘１４で形成したり、マイクロホン筐体８を上下一対の２ピース構造とし、下部の筐体自体が錘１４の役目を果たすように構成してもよい。
【００２２】
以上のようにして本発明の実施形態としての車載用マイクロホン装置は、サンバイザ１の先端部に設けたマイク取り付け部６に指向性マイクロホン７を回動可能に取り付けると共に、その指向性マイクロホン７の正面８ａがサンバイザ１の角度に関係なく常に車室内話者に向くように指向性マイクロホン７には錘１４を設けた構成とされる。
【００２３】
このように構成された本発明の実施形態としての車載用マイクロホン装置は、太陽がまぶしい場合等の状況において、サンバイザ１をフロントガラス３側に下げると、このサンバイザ１は軸５を中心に図２の時計方向に回動するが、指向性マイクロホン７はサンバイザ１の回動に応じてそのサンバイザ１に対して両回転軸１０を中心に図２の反時計方向に回動しながら、指向性マイクロホン７の正面８ａが略鉛直面内に位置し車室内話者に向くマイク取り付け姿勢を維持する。また、逆に、サンバイザ１を天井２側に上げると、このサンバイザ１は軸５を中心に図２の反時計方向に回動するが、指向性マイクロホン７はサンバイザ１の回動に応じてそのサンバイザ１に対して両回転軸１０を中心に図２の時計方向に回動しながら、指向性マイクロホン７の正面８ａが略鉛直面内に位置し車室内話者に向くマイク取り付け姿勢を維持する。
【００２４】
これにより、指向性マイクロホン７は、サンバイザ１の角度に関係なく指向性７ａの方向を一定の方向、即ち、車室内話者の方向に維持することができ、車室内話者の音声を安定的に拾うことができる。
【００２５】
また、この車載用マイクロホン装置は、例えば、サンバイザ１の角度の変更に応じて指向性マイクロホン７を回動させ、指向性マイクロホン７の正面８ａが常に車室内話者に向くように指向性マイクロホン７の角度を調整するようなマイク角度調整機構等が不要であって、構成が簡単であり、サンバイザ１に容易に組み込むことができる。
【００２６】
また、この車載用マイクロホン装置は、指向性マイクロホン７の回転軸１０を通してサンバイザ１の中に引き出したケーブル芯線１３を、例えばサンバイザ１の中に組み込まれた近距離無線通信モジュールに接続し、例えばカーナビゲーション装置に音声入力したり、携帯電話やタブレット端末等のモバイル機器に音声入力することができる。
【符号の説明】
【００２７】
１  サンバイザ
６  マイク取り付け部
７  指向性マイクロホン
８ａ  正面
１４  錘
【図１】
2015140128.tif 000003
【図２】
2015140128.tif 000004
【図３】
2015140128.tif 000005